(57)【要約】【課題】印刷対象である画像データに対して、印刷条件を設定することができる画像形成装置、画像形成方法、および画像形成プログラムを提供する。【解決手段】ページデータ選択部１０５は、印刷対象である文書ファイルに含まれる複数のページデータから、用紙に対する配置位置を指示するページデータを選択し、印刷形式選択部１０８は、選択されたページデータを印刷する形態を表す印刷形式の選択を受付け、配置位置指示部１１０は、印刷形式に対する、ページデータの配置位置を指示し、印刷部１１２は、選択された印刷形式で、指示された配置位置にページデータを印刷する。【選択図】        図１
2007081854.tif 000002
【特許請求の範囲】
【請求項１】
文書ファイルに含まれるページデータから、任意のページデータを選択するページデータ選択手段と、
前記ページデータ選択手段によって選択された前記ページデータを用紙に印刷する際の印刷形式および前記ページデータの配置位置を設定する印刷形式設定手段と、
前記印刷形式設定手段によって設定された前記印刷形式で、前記配置位置に前記ページデータを印刷する印刷手段と、
を備えたことを特徴とする画像形成装置。
【請求項２】
前記印刷形式設定手段は、前記ページデータ選択手段によって選択された前記ページデータを用紙に印刷する際の印刷形式の選択を受付け、かつ、前記ページデータ選択手段によって選択された前記ページデータの配置位置の指示を受付けること、を特徴とする請求項１に記載の画像形成装置。
【請求項３】
複数の前記ページデータのそれぞれをサムネイル形式で表示するページ画像表示手段と、
前記印刷形式を画像で表す印刷形式画像を表示する印刷形式表示手段と、をさらに備え、
前記ページデータ選択手段は、前記ページ画像表示手段によって表示された前記ページデータの中から、前記ページデータの選択を受付け、
前記印刷形式選択手段は、前記印刷形式表示手段によって表示された前記印刷形式画像の中から、前記印刷形式の選択を受付けること、を備えたことを特徴とする請求項１または請求項２に記載の画像形成装置。
【請求項４】
前記ページデータを含む前記文書ファイルを複数記憶する文書ファイル記憶手段と、
前記文書ファイル記憶手段に記憶された複数の前記文書ファイルを表示する文書ファイル表示手段と、
前記文書ファイル表示手段によって表示された前記文書ファイルを選択する文書ファイル選択手段と、をさらに備え、
前記ページ画像表示手段は、前記文書ファイル選択手段によって選択された前記文書ファイルに含まれる前記ページデータをサムネイル形式で表示することを特徴とする請求項１〜３のいずれか一つに記載の画像形成装置。
【請求項５】
前記ページデータ選択手段によって選択された前記ページデータのサイズを変更する画像サイズ変更手段、をさらに備え、
前記印刷手段は、前記画像サイズ変更手段によって変更された前記サイズで前記ページデータを印刷すること、を特徴とする請求項１〜４のいずれか一つに記載の画像形成装置。
【請求項６】
前記印刷形式選択手段によって選択された前記印刷形式の用紙サイズを変更する用紙サイズ変更手段、をさらに備え、
前記印刷手段は、前記用紙サイズ変更手段によって変更された前記用紙サイズで前記ページデータを印刷すること、を特徴とする請求項１〜５のいずれか一つに記載の画像形成装置。
【請求項７】
前記印刷形式表示手段によって表示された前記印刷形式画像において、前記ページデータを配置可能な複数の用紙ページ領域を表示する用紙ページ表示手段、をさらに備え、
前記配置位置指示手段は、前記ページデータ選択手段によって選択された前記ページデータを、前記用紙ページ表示手段によって表示された前記用紙ページ領域に対して配置位置を指示し、
前記印刷手段は、前記配置位置指示手段によって指示された前記用紙ページ領域に対する配置位置に前記ページデータを印刷すること、を特徴とする請求項１〜６のいずれか一つに記載の画像形成装置。
【請求項８】
文書ファイルに含まれるページデータから、任意のページデータを選択するページデータ選択ステップと、
前記ページデータ選択ステップによって選択された前記ページデータを用紙に印刷する際の印刷形式および前記ページデータの配置位置を設定する印刷形式設定ステップと、
前記印刷形式設定ステップによって設定された前記印刷形式で、前記配置位置に前記ページデータを印刷する印刷ステップと、
を有することを特徴とする画像形成方法。
【請求項９】
請求項８に記載された画像形成方法をコンピュータに実行させることを特徴とする画像形成プログラム。
【発明の詳細な説明】
【技術分野】
【０００１】
本発明は、画像形成装置、画像形成方法、および画像形成プログラムに関するものであり、特に印刷条件の設定に関するものである。
【背景技術】
【０００２】
従来、ユーザの指定した印刷条件によって、その印刷条件をサポートする画像形成装置を自動選択する技術が一般に知られている。かかる技術では、ユーザが指定した印刷条件で印刷するために、画像形成装置ごとにその印刷条件の実行に必要な機能についての情報を取得し、ユーザが選択したすべての印刷条件に対応する機能を備える画像形成装置を自動的に選択して、文書データなどを印刷するものである。しかし、かかる技術では、自動的に画像形成装置が選択されてしまうため、例えば同様の機能を有する画像形成装置が存在する場合にであっても、ユーザの席から遠い画像形成装置が選択されるなど、ユーザが意図しない画像形成装置が自動的に選択されてしまうという問題があった。
【０００３】
このような問題を解決する方法として、ユーザが選択した印刷条件に対応する機能を備える画像形成装置を選択した上で、条件を備える画像形成装置の中から、さらにユーザが画像形成装置を選択することができる技術が開示されている（特許文献１参照）。
【０００４】
【特許文献１】特開２００４−７２２４７号公報
【発明の開示】
【発明が解決しようとする課題】
【０００５】
しかしながら、ユーザが使用している端末装置から画像形成装置に対して印刷を指示する際に、印刷条件を設定するものであり、画像データが送信された画像形成装置において印刷対象である画像データに対して印刷条件を設定することはできなかった。
【０００６】
本発明は、上記に鑑みてなされたものであって、印刷対象である画像データに対して、印刷条件を設定することができる画像形成装置、画像形成方法、および画像形成プログラムを提供することを目的とする。
【課題を解決するための手段】
【０００７】
上述した課題を解決し、目的を達成するために、請求項１にかかる発明は、文書ファイルに含まれるページデータから、任意のページデータを選択するページデータ選択手段と、前記ページデータ選択手段によって選択された前記ページデータを用紙に印刷する際の印刷形式および前記ページデータの配置位置を設定する印刷形式設定手段と、前記印刷形式設定手段によって設定された前記印刷形式で、前記配置位置に前記ページデータを印刷する印刷手段と、を備えたことを特徴とする。
【０００８】
また、請求項２にかかる発明は、請求項１に記載の画像形成装置において、前記印刷形式設定手段は、前記ページデータ選択手段によって選択された前記ページデータを用紙に印刷する際の印刷形式の選択を受付け、かつ、前記ページデータ選択手段によって選択された前記ページデータの配置位置の指示を受付けること、を特徴とする。
【０００９】
また、請求項３にかかる発明は、請求項１または請求項２に記載の画像形成装置において、複数の前記ページデータのそれぞれをサムネイル形式で表示するページ画像表示手段と、前記印刷形式を画像で表す印刷形式画像を表示する印刷形式表示手段と、をさらに備え、前記ページデータ選択手段は、前記ページ画像表示手段によって表示された前記ページデータの中から、前記ページデータの選択を受付け、前記印刷形式選択手段は、前記印刷形式表示手段によって表示された前記印刷形式画像の中から、前記印刷形式の選択を受付けること、を備えたことを特徴とする。
【００１０】
また、請求項４にかかる発明は、請求項１〜３のいずれか一つに記載の画像形成装置において、前記ページデータを含む前記文書ファイルを複数記憶する文書ファイル記憶手段と、前記文書ファイル記憶手段に記憶された複数の前記文書ファイルを表示する文書ファイル表示手段と、前記文書ファイル表示手段によって表示された前記文書ファイルを選択する文書ファイル選択手段と、をさらに備え、前記ページ画像表示手段は、前記文書ファイル選択手段によって選択された前記文書ファイルに含まれる前記ページデータをサムネイル形式で表示することを特徴とする。
【００１１】
また、請求項５にかかる発明は、請求項１〜４のいずれか一つに記載の画像形成装置において、前記ページデータ選択手段によって選択された前記ページデータのサイズを変更する画像サイズ変更手段、をさらに備え、前記印刷手段は、前記画像サイズ変更手段によって変更された前記サイズで前記ページデータを印刷すること、を特徴とする。
【００１２】
また、請求項６にかかる発明は、請求項１〜５のいずれか一つに記載の画像形成装置において、前記印刷形式選択手段によって選択された前記印刷形式の用紙サイズを変更する用紙サイズ変更手段、をさらに備え、前記印刷手段は、前記用紙サイズ変更手段によって変更された前記用紙サイズで前記ページデータを印刷すること、を特徴とする。
【００１３】
また、請求項７にかかる発明は、請求項１〜６のいずれか一つに記載の画像形成装置において、前記印刷形式表示手段によって表示された前記印刷形式画像において、前記ページデータを配置可能な複数の用紙ページ領域を表示するページ表示手段、をさらに備え、前記配置位置指示手段は、前記ページデータ選択手段によって選択された前記ページデータを、前記ページ表示手段によって表示された前記用紙ページ領域に対して配置位置を指示し、前記印刷手段は、前記配置位置指示手段によって指示された前記用紙ページ領域に対する配置位置に前記ページデータを印刷すること、を特徴とする。
【００１４】
また、請求項８にかかる発明は、文書ファイルに含まれるページデータから、任意のページデータを選択するページデータ選択ステップと、前記ページデータ選択ステップによって選択された前記ページデータを用紙に印刷する際の印刷形式および前記ページデータの配置位置を設定する印刷形式設定ステップと、前記印刷形式設定ステップによって設定された前記印刷形式で、前記配置位置に前記ページデータを印刷する印刷ステップと、を有することを特徴とする。
【００１５】
また、請求項９にかかる発明は、請求項８に記載された画像形成方法をコンピュータに実行させることを特徴とする。
【発明の効果】
【００１６】
請求項１にかかる発明によれば、ページデータ選択手段によって、文書ファイルに含まれるページデータから、任意のページデータを選択し、印刷形式設定手段によって、ページデータ選択手段によって選択されたページデータを用紙に印刷する際の印刷形式およびページデータの配置位置を設定し、印刷手段によって、印刷形式設定手段によって設定された印刷形式で、配置位置に前記ページデータを印刷することにより、印刷対象であるページデータに対して印刷条件を設定して印刷することができるため、画像形成装置での印刷条件設定の操作が可能となるという効果を奏する。
【００１７】
また、請求項２にかかる発明によれば、印刷形式設定手段は、ページデータ選択手段によって選択されたページデータを用紙に印刷する際の印刷形式の選択を受付け、かつ、ページデータ選択手段によって選択されたページデータの配置位置の指示を受付けることにより、印刷対象であるページデータに対して印刷条件を設定して印刷することができるため、画像形成装置での印刷条件設定の操作が可能となるという効果を奏する。
【００１８】
また、請求項３にかかる発明によれば、ページ画像表示手段によって、複数のページデータのそれぞれをサムネイル形式で表示し、印刷形式表示手段によって、印刷形式を画像で表す印刷形式画像を表示し、ページデータ選択手段は、ページ画像表示手段によって表示されたページデータの中から、ページデータの選択を受付け、印刷形式選択手段は、印刷形式表示手段によって表示された印刷形式画像の中から、印刷形式の選択を受付けることにより、印刷対象であるページデータや印刷形式が画像によって表示され、ユーザの感覚に合った印刷レイアウトを指定して印刷することができるため、画像形成装置における印刷情報設定の操作性が向上するという効果を奏する。
【００１９】
また、請求項４にかかる発明によれば、文書ファイル表示手段によって、ページデータを含む文書ファイルを複数記憶する文書ファイル記憶手段に記憶された複数の文書ファイルを表示し、文書ファイル選択手段によって、文書ファイル表示手段によって表示された文書ファイルを選択し、ページ画像表示手段は、文書ファイル選択手段によって選択された文書ファイルに含まれるページデータをサムネイル形式で表示することにより、印刷する段階で印刷対象の文書ファイルを選択することができるため、画像形成装置における印刷情報設定の操作性が向上するという効果を奏する。
【００２０】
また、請求項５にかかる発明によれば、画像サイズ変更手段によって、ページデータ選択手段によって選択されたページデータのサイズを変更し、印刷手段は、画像サイズ変更手段によって変更されたサイズでページデータを印刷することにより、選択した印刷形式に対応して印刷するページデータのサイズを変更することができ、ユーザの感覚に合ったレイアウトで印刷することができるため、画像形成装置における印刷情報設定の操作性が向上するという効果を奏する。
【００２１】
また、請求項６にかかる発明によれば、用紙サイズ変更手段によって、印刷形式選択手段によって選択された印刷形式の用紙サイズを変更し、印刷手段は、用紙サイズ変更手段によって変更された用紙サイズでページデータを印刷することにより、選択した印刷形式にページデータを配置した後に、用紙サイズを変更することができ、ユーザの感覚に合ったレイアウトで印刷することができるため、画像形成装置における印刷情報設定の操作性が向上するという効果を奏する。
【００２２】
また、請求項７にかかる発明によれば、ページ表示手段によって、印刷形式表示手段によって表示された印刷形式画像において、ページデータを配置可能な複数の用紙ページ領域を表示し、配置位置指示手段は、ページデータ選択手段によって選択されたページデータを、ページ表示手段によって表示された用紙ページ領域に対して配置位置を指示し、印刷手段は、配置位置指示手段によって指示された用紙ページ領域に対する配置位置にページデータを印刷することにより、印刷形式に対応した用紙ページ領域にページデータを配置して印刷することができ、ユーザの感覚に合ったレイアウトで印刷することができるため、画像形成装置における印刷情報設定の操作性が向上するという効果を奏する。
【００２３】
また、請求項８にかかる発明によれば、ページデータ選択ステップによって、印刷対象である文書ファイルに含まれる複数のページデータから、任意のページデータを選択し、印刷形式選択ステップによって、ページデータ選択ステップによって選択されたページデータを用紙に印刷する際の印刷形式の選択を受付け、配置位置指示ステップによって、ページデータ選択ステップによって選択されたページデータの配置位置を指示し、印刷ステップによって、印刷形式選択ステップによって選択された印刷形式で、配置位置指示ステップによって指示された配置位置にページデータを印刷することにより、印刷対象であるページデータに対して印刷条件を設定して印刷することができるため、画像形成装置での印刷条件設定の操作が可能となるという効果を奏する。
【００２４】
また、請求項９にかかる発明によれば、請求項８に記載された画像形成方法をコンピュータに実行させることにより、印刷対象であるページデータに対して印刷条件を設定して印刷することができるため、画像形成装置での印刷条件設定の操作が可能となるという効果を奏する。
【発明を実施するための最良の形態】
【００２５】
以下に添付図面を参照して、この発明にかかる画像形成装置、画像形成方法、および画像形成プログラムの最良な実施の形態を詳細に説明する。
【００２６】
本発明にかかる実施の形態について、添付図面を参照して説明する。まず、本発明が適用される画像形成装置である複合機の構成例について説明する。図１は、第１の実施の形態にかかる複合機の構成を示すブロック図である。なお、本実施の形態では、多機能な複合機を用いて説明するが、文書ファイルの印刷条件を設定するものであれば、複合機の他、複写機、プリンタなどであってもよい。
【００２７】
本実施の形態にかかる複合機１００は、文書ファイル記憶部１０１と、文書ファイル表示部１０２と、文書ファイル選択部１０３と、ページ画像表示部１０４と、ページデータ選択部１０５と、画像サイズ変更部１０６と、印刷形式表示部１０７と、印刷形式選択部１０８と、用紙ページ領域表示部１０９と、配置位置指定部１１０と、用紙サイズ変更部１１１と、印刷部１１２と、印刷形式データベース１２０と、を備えている。
【００２８】
文書ファイル記憶部１０１は、文書ファイルを記憶するものである。図２は、文書ファイル記憶部に記憶されている文書ファイルの一例を示す説明図である。図２の例では、文書ファイル“Ｏ”、“Ｐ”、“Ｑ”、“Ｒ”が文書ファイル記憶部１０１に格納されている。文書ファイル“Ｒ”には、ページデータ“Ａ”、“Ｂ”、“Ｃ”、“Ｄ”が含まれている。ここで、ページデータとは、文書ファイルを印刷する場合の１ページ分のデータをいう。なお、本実施の形態では、複合機に文書ファイル記憶部１０１を備える場合を説明しているが、かかる文書ファイル記憶部１０１はネットワークなどを介した他の装置に存在してもよい。
【００２９】
文書ファイル表示部１０２は、文書ファイル記憶部１０１に記憶されている文書ファイルを表示するものである。具体的には、文書ファイルのファイル名などを表示する。文書ファイル選択部１０３は、文書ファイル表示部１０２によって表示された文書ファイルの中から、印刷対象とする文書ファイルの選択を受付けるものである。
【００３０】
ページ画像表示部１０４は、文書ファイル選択部１０３によって選択された文書ファイルに含まれるページデータを、文書ファイル記憶部１０１から取得してサムネイル形式で表示するものである。ページデータ選択部１０５は、ページ画像表示部１０４によって表示されたページデータから配置位置を指定するページデータの選択を受付けるものである。画像サイズ変更部１０６は、ページデータ選択部１０５によって選択されたページデータの画像サイズの変更を受付けるものである。
【００３１】
印刷形式データベース１２０は、本実施の形態にかかる複合機において選択することができる印刷形式を規定する。ここで、印刷形式とは、文書ファイルに含まれる複数のページデータを用紙に印刷する際におけるページデータの配置位置等を定めるものである。図３は、印刷形式データベースのデータ構成の一例を示す説明図である。印刷形式データベース１２０は、印刷形式と、印刷形式を表わす画像データとを関連付けて記憶する。例えば、“ブック形式”、“通常形式”、“集約形式（上下）”、“集約形式（左右）”などの印刷形式と、それぞれに対応する画像データが記憶されている。
【００３２】
印刷形式表示部１０７は、印刷形式データベース１２０に記憶された印刷形式を表わす画像データを表示するものである。印刷形式選択部１０８は、印刷形式表示部１０７によって表示された複数の印刷形式を表わす画像データの中から、文書ファイルを印刷する１つの印刷形式の選択を受付け、選択された１つの印刷形式を表わす画像を、ページデータを配置する領域（以下、用紙ページ領域という）として表示するものである。また、用紙ページ領域に対応するページ番号を表示する。
【００３３】
用紙ページ領域表示部１０９は、文書ファイル選択部１０３によって選択された文書ファイルに含まれるページデータが複数の場合に対応して、複数のページデータに対応する複数のページ番号と、複数のページ番号に対応する用紙ページ領域を表示するものである。
【００３４】
配置位置指定部１１０は、印刷形式選択部１０８によって選択され、表示されたページデータ指定領域に対する、ページデータ選択部１０５によって選択されたページデータの配置位置の指定を受付けるものである。用紙サイズ変更部１１１は、印刷形式選択部１０７によって選択された印刷形式に対する用紙サイズの変更を受付けるものである。
【００３５】
なお、本実施の形態では、印刷形式選択部１０８によって印刷形式の選択を受付け、配置位置指定部１１０によってページデータの配置位置の指示を受付けている。それに代えて、印刷形式選択部１０８によって選択される印刷形式にページデータの配置位置を予め定めておき、印刷形式を選択することによって、印刷形式とページデータの配置位置を設定するようにしてもよい。
【００３６】
印刷部１１２は、ページデータ選択部１０５によって選択されたページデータを、印刷形式選択部１０８によって選択された印刷形式で、用紙ページ領域表示部１０９によって表示されたページ番号に対応する用紙ページ領域および配置位置指定部１１０によって指定された位置に配置して印刷するものである。また、画像サイズ変更部１０６によって変更された画像サイズや、用紙サイズ変更部１１１によって変更された用紙サイズでページデータを印刷するものである。
【００３７】
以上のように構成されている複合機による画像処理について説明する。図４−１、図４−２は、文書ファイル表示部、文書ファイル選択部、ページ画像表示部、ページデータ選択部、画像サイズ変更部、印刷形式表示部、印刷形式選択部、用紙ページ領域表示部、配置位置指定部、用紙サイズ変更部、印刷部が行う画像処理手順を示すフローチャートである。
【００３８】
まず、文書ファイル表示部１０２は、文書ファイル記憶部１０１から文書ファイル名を取得する（ステップＳ４０１）。文書ファイル表示部１０２は、文書ファイル記憶部１０１から取得した文書ファイル名を画面に表示する（ステップＳ４０２）。図５は、文書ファイルおよび印刷形式を選択するタッチパネル上の画面の一例を示す説明図である。例えば、文書ファイル名“Ｑ”は、文書ファイル記憶部１０１から取得され、文書ファイル記憶部１０１に含まれる１つの文書ファイルとして表示される（７１）。なお、文書ファイル名は、図５に示すような図として表示する他、文書ファイルの選択が可能であればファイル名や作成日などを一覧としたファイル名一覧形式で表示してもよい。
【００３９】
文書ファイル選択部１０３は、画面に表示された文書ファイル名の中から、印刷対象である文書ファイルの選択を受付ける（ステップＳ４０３）。例えば、タッチパネル７０に表示された文書ファイル“Ｒ”をユーザが指などで指示することによって（７３）、文書ファイル“Ｒ”の選択を受付ける。
【００４０】
印刷形式表示部１０７は、印刷形式データベース１２０に格納された印刷形式を表わす画像データを取得して、画面に表示する（ステップＳ４０４）。例えば、図５においては、“ブック形式”、“通常形式”、“集約形式（上下）”、“集約形式（左右）”の印刷形式を表す画像データが表示されている（７２）。印刷形式選択部１０８は、印刷形式の選択を受付ける（ステップＳ４０５）。具体的には、タッチパネル７０に表示された印刷形式をユーザが指などで指示することによって、印刷形式の選択を受付ける。
【００４１】
ページ画像表示部１０４は、文書ファイル記憶部１０１から文書ファイル選択部１０３によって選択された文書ファイルのページデータを取得し、サムネイル形式のページデータを画面に表示する（ステップＳ４０６）。
【００４２】
用紙ページ領域表示部１０９は、用紙ページめくりありか否かを判断する（ステップＳ４０７）。用紙ページめくりありと判断した場合には（ステップＳ４０７：Ｙｅｓ）、次頁の用紙ページ領域を表示する（ステップＳ４０８）。ここで、用紙ページめくりとは、印刷対象である文書ファイルに含まれるすべてのページデータが用紙ページ領域に配置できない場合に、次頁または前頁を指示することによって次頁または前頁の用紙ページ領域を表示するものである。用紙ページめくりなしと判断した場合には（ステップＳ４０７：Ｎｏ）、処理を行わずステップＳ４０９に進む。
【００４３】
ページデータ選択部１０５は、ページ画像表示部１０４によって表示されたページ画像の中から、配置位置を指定するページデータの選択を受付ける（ステップＳ４０９）。具体的には、タッチパネルに表示されているサムネイル形式のページデータをユーザが選択することによって、配置位置を指定するページデータの選択を受付ける。
【００４４】
画像サイズ変更部１０６は、選択したページデータについて画像サイズ変更があるか否かを判断する（ステップＳ４１０）。画像サイズ変更があると判断した場合には（ステップＳ４１０：Ｙｅｓ）、画像サイズ変更部１０６は画像サイズの変更を受付ける（ステップＳ４１１）。具体的には、ページデータの画像の端部を指示し、ドラッグして拡大縮小することによって画像サイズの変更を指定する。画像サイズ変更がないと判断した場合には（ステップＳ４１０：Ｎｏ）、ステップＳ４１２に進む。
【００４５】
配置位置指定部１１０は、印刷形式画像上において選択されたページデータの配置位置の指定を受付ける（ステップＳ４１２）。具体的には、ユーザがタッチパネル７０において選択したページデータの画像をドラッグによって所定の位置に移動する。配置位置指定部１１０は、移動後の位置を配置位置として受付ける。これにより、ユーザの感覚に合った形でページデータの配置位置を指定することができる。
【００４６】
用紙サイズ変更部１１１は、用紙サイズ変更がありか否かを判断する（ステップＳ４１３）。用紙サイズ変更がありと判断した場合には（ステップＳ４１３：Ｙｅｓ）、用紙サイズ変更部１１１は用紙サイズの変更を受付ける（ステップＳ４１４）。具体的には、選択した印刷形式の画像の端部を指示し、ドラッグして拡大縮小することによって用紙サイズの変更を指定する。用紙サイズ変更がないと判断した場合には（ステップＳ４１３：Ｎｏ）、ステップＳ４１５に進む。
【００４７】
ページデータの配置は終了したか否かを判断する（ステップＳ４１５）。ページデータの配置は終了したと判断した場合には（ステップＳ４１５：Ｙｅｓ）、印刷部１１２は指定された印刷形式、画像サイズおよび用紙サイズでページデータを印刷する（ステップＳ４１６）。ページデータの配置は終了していないと判断した場合には（ステップＳ４１５：Ｎｏ）、ステップＳ４０７に戻る。
【００４８】
このように、ユーザが文書ファイル、印刷形式の選択や、文書ファイルに含まれるページデータに対する指定を画面に対して行うことができるため、ユーザの感覚に合った操作性の高い印刷情報の設定を行うことができる。
【００４９】
次に、図２に示す文書ファイル記憶部１０１を参照して、具体的に本実施の形態を説明する。文書ファイル表示部１０２は、文書ファイル記憶部１０１から文書ファイル名“Ｏ”、“Ｐ”、“Ｑ”、“Ｒ”を取得し（ステップＳ４０１）、文書ファイル名を画面に表示する（ステップＳ４０２）。タッチパネル７０に文書ファイル記憶部１０１の内容として文書ファイル“Ｏ”、“Ｐ”、“Ｑ”、“Ｒ”が表示される（図５の７１）。
【００５０】
ユーザがタッチパネル７０の文書ファイル“Ｒ”を選択することにより（７３）、文書ファイル選択部１０３は、画面に表示された文書ファイル名から印刷対象である文書ファイル“Ｒ”の選択を受付ける（ステップＳ４０３）。印刷形式表示部１０７は、印刷形式データベース１２０から取得した印刷形式画像“ブック形式”、“通常形式”、“集約形式（上下）”、“集約形式（左右）”を画面に表示する（７２）（ステップＳ４０４）。
【００５１】
図６は、選択された文書ファイルのページデータおよび選択された印刷形式を表示するタッチパネル上の画面の一例を示す説明図である。ユーザがタッチパネル７０から印刷形式“ブック形式”を選択することにより、印刷形式“ブック形式”の選択を受付け、（ステップＳ４０５）“ブック形式”の画像（７５）およびページ番号（７６）が表示される。ページ画像表示部１０４は、文書ファイル記憶部１０１に格納された文書ファイル“Ｒ”のページデータ“Ａ”、“Ｂ”、“Ｃ”、“Ｄ”を取得し、サムネイル形式のページデータの画像として画面に表示する（７４）（ステップＳ４０６）。
【００５２】
図７は、ページデータを選択するタッチパネル上の画面の一例を示す説明図である。ユーザがページデータ“Ｂ”を選択することにより(７７)、用紙ページ領域表示部１０９は、用紙ページめくりなしと判断し（ステップＳ４０７：Ｎｏ）、ページデータ選択部１０５はページデータ“Ｂ”の選択を受付ける（ステップＳ４０９）。
【００５３】
図８は、選択されたページデータの配置位置を指定するタッチパネル上の画面の一例を示す説明図である。ユーザは“ブック形式”の画像データ上にページデータ“Ｂ”の配置位置を指示することにより、画像サイズ変更部１０６は、画像サイズ変更がないと判断し（ステップＳ４１０：Ｎｏ）、配置位置指定部１１０はページデータ“Ｂ”の配置位置の指定を受付ける（ステップＳ４１２）。
【００５４】
ユーザが用紙ページめくりを指定することにより、用紙サイズ変更部１１１は、用紙サイズ変更がないと判断する（ステップＳ４１３：Ｎｏ）。ページデータの配置は終了していないと判断し（ステップＳ４１５：Ｎｏ）、ステップＳ４０７に戻る。
【００５５】
図９は、ページめくりを指定するタッチパネル上の画面の一例を示す説明図である。ユーザがブック形式の画像の端部を指示することによって用紙ページめくり動作を行うことにより（７９）、用紙ページ領域表示部１０９は、用紙ページめくりありと判断した場合には（ステップＳ４０７：Ｙｅｓ）、次頁の用紙ページ領域を表示する（ステップＳ４０８）。図１０は、用紙ページめくりの指示により次頁を表示したタッチパネル上の画面の一例を示す説明図である。用紙ページめくりが指示され、次頁として３ページ、４ページが表示される（８０）。
【００５６】
ユーザがタッチパネル７０からページデータ“Ｄ”を選択することにより（８１）、ページデータ選択部１０５は、ページデータ“Ｄ”の選択を受付ける（ステップＳ４０９）。図１１は、選択されたページデータの配置位置を指定するタッチパネル上の画面の一例を示す説明図である。ユーザがブック形式の画像上にページデータ“Ｄ”の配置位置を指示することにより（８２）、画像サイズ変更部１０６は、画像サイズ変更がないと判断し（ステップＳ４１０：Ｎｏ）、配置位置指定部１１０は、ページデータ“Ｄ”の配置位置の指定を受付ける（ステップＳ４１２）。
【００５７】
図１２は、選択したページデータの画像サイズを変更するタッチパネル上の画面の一例を示す説明図である。ユーザがページデータ“Ａ”を選択することにより、用紙サイズ変更部１１１は、用紙サイズ変更がないと判断する（ステップＳ４１３：Ｎｏ）。さらに、ページデータの配置は終了していないと判断し（ステップＳ４１５：Ｎｏ）、ステップＳ４０７に戻る。
【００５８】
また、用紙ページ領域表示部１０９は、用紙ページめくりなしと判断する（ステップＳ４０７：Ｎｏ）。ページデータ選択部１０５は、ページデータ“Ａ”の選択を受付ける（ステップＳ４０９）。
【００５９】
ユーザがページデータ“Ａ”の画像の下端部を指示し、ドラッグして縮小することにより画像サイズの変更を指定する（８３）。これにより、画像サイズ変更部１０６は、選択したページデータ“Ａ”に画像サイズ変更があると判断し（ステップＳ４１０：Ｙｅｓ）、画像サイズ変更部１０６は画像サイズの変更を受付ける（ステップＳ４１１）。
【００６０】
図１３は、選択されたページデータの配置位置を指定するタッチパネル上の画面の一例を示す説明図である。ユーザがタッチパネルの画面上でページデータ“Ａ”の配置位置を指示することにより（８４）、配置位置指定部１１０は、ページデータ“Ａ”の配置位置の指定を受付ける（ステップＳ４１２）。
【００６１】
図１４は、選択した印刷形式の用紙サイズを変更するタッチパネル上の画面の一例を示す説明図である。ユーザがブック形式の画像の下端部を指示し、ドラッグして縮小することにより用紙サイズの変更を指定する（８５）。これにより、用紙サイズ変更部１１１は、用紙サイズ変更がありと判断し（ステップＳ４１３：Ｙｅｓ）、用紙サイズ変更部１１１は用紙サイズの変更を受付ける（ステップＳ４１４）。さらに、ページデータの配置は終了したと判断し（ステップＳ４１５：Ｙｅｓ）、印刷部１１２は指定された印刷形式、画像サイズおよび用紙サイズでページデータを印刷する（ステップＳ４１６）。
【００６２】
図１５は、かかる複合機１００のハードウェア構成を示すブロック図である。本図に示すように、この複合機１００は、コントローラ１０とエンジン部（Engine）６０とをＰＣＩ（Peripheral Component Interconnect）バスで接続した構成となる。コントローラ１０は、複合機１００全体の制御と描画、通信、操作部２０（タッチパネル７０を含む）からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００６３】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂと、をさらに有する。
【００６４】
ＣＰＵ１１は、複合機１００の全体制御をおこなうものであり、ＮＢ１３、ＭＥＭ−Ｐ１２およびＳＢ１４からなるチップセットを有し、このチップセットを介して他の機器と接続される。
【００６５】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００６６】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００６７】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００６８】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【００６９】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【００７０】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００７１】
なお、本実施形態の複合機で実行される画像形成プログラムは、ＲＯＭ等に予め組み込まれて提供される。
【００７２】
本実施形態の複合機で実行される画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７３】
さらに、本実施形態の複合機で実行される画像形成プログラムを、インターネット等のネットワークに接続されたコンピュータ上に格納し、ネットワーク経由でダウンロードさせることにより提供するように構成してもよい。また、本実施形態の複合機で実行される画像形成プログラムをインターネット等のネットワーク経由で提供または配布するように構成してもよい。
【００７４】
本実施の形態の複合機で実行される画像形成プログラムは、上述した各部（文書ファイル表示部、文書ファイル選択部、ページ画像表示部、ページデータ選択部、画像サイズ変更部、印刷形式表示部、印刷形式選択部、用紙ページ領域表示部、配置位置指定部、用紙サイズ変更部、印刷部など）を含むモジュール構成となっており、実際のハードウェアとしてはＣＰＵ（プロセッサ）が上記ＲＯＭから〜プログラムを読み出して実行することにより上記各部が主記憶装置上にロードされ、文書ファイル表示部、文書ファイル選択部、ページ画像表示部、ページデータ選択部、画像サイズ変更部、印刷形式表示部、印刷形式選択部、用紙ページ領域表示部、配置位置指定部、用紙サイズ変更部、印刷部などが主記憶装置上に生成されるようになっている。
【００７５】
なお、本発明は上述した実施の形態に限定されるものではない。
【図面の簡単な説明】
【００７６】
【図１】第１の実施の形態にかかる複合機の構成を示すブロック図である。
【図２】文書ファイル記憶部に記憶されている文書ファイルの一例を示す説明図である。
【図３】印刷形式データベースのデータ構成の一例を示す説明図である。
【図４−１】文書ファイル表示部、文書ファイル選択部、ページ画像表示部、ページデータ選択部、画像サイズ変更部、印刷形式表示部、印刷形式選択部、用紙ページ領域表示部、配置位置指定部、用紙サイズ変更部、印刷部が行う画像処理手順を示すフローチャートである。
【図４−２】文書ファイル表示部、文書ファイル選択部、ページ画像表示部、ページデータ選択部、画像サイズ変更部、印刷形式表示部、印刷形式選択部、用紙ページ領域表示部、配置位置指定部、用紙サイズ変更部、印刷部が行う画像処理手順を示すフローチャートである。
【図５】文書ファイルおよび印刷形式を選択するタッチパネル上の画面の一例を示す説明図である。
【図６】選択された文書ファイルのページデータおよび選択された印刷形式を表示するタッチパネル上の画面の一例を示す説明図である。
【図７】ページデータを選択するタッチパネル上の画面の一例を示す説明図である。
【図８】選択されたページデータの配置位置を指定するタッチパネル上の画面の一例を示す説明図である。
【図９】ページめくりを指定するタッチパネル上の画面の一例を示す説明図である。
【図１０】用紙ページめくりの指示により次頁を表示したタッチパネル上の画面の一例を示す説明図である。
【図１１】選択されたページデータの配置位置を指定するタッチパネル上の画面の一例を示す説明図である。
【図１２】選択したページデータの画像サイズを変更するタッチパネル上の画面の一例を示す説明図である。
【図１３】選択されたページデータの配置位置を指定するタッチパネル上の画面の一例を示す説明図である。
【図１４】選択した印刷形式の用紙サイズを変更するタッチパネル上の画面の一例を示す説明図である。
【図１５】かかる複合機１００のハードウェア構成を示すブロック図である。
【符号の説明】
【００７７】
１０１  文書ファイル記憶部
１０２  文書ファイル表示部
１０３  文書ファイル選択部
１０４  ページ画像表示部
１０５  ページデータ選択部
１０６  画像サイズ変更部
１０７  印刷形式表示部
１０８  印刷形式選択部
１０９  用紙ページ領域表示部
１１０  配置位置指定部
１１１  用紙サイズ変更部
１１２  印刷部
１２０  印刷形式データベース
【図１】
2007081854.tif 000003
【図２】
2007081854.tif 000004
【図３】
2007081854.tif 000005
【図４−１】
2007081854.tif 000006
【図４−２】
2007081854.tif 000007
【図５】
2007081854.tif 000008
【図６】
2007081854.tif 000009
【図７】
2007081854.tif 000010
【図８】
2007081854.tif 000011
【図９】
2007081854.tif 000012
【図１０】
2007081854.tif 000013
【図１１】
2007081854.tif 000014
【図１２】
2007081854.tif 000015
【図１３】
2007081854.tif 000016
【図１４】
2007081854.tif 000017
【図１５】
2007081854.tif 000018